(57)【要約】【課題】イベントの会場や地域の名所等で携帯端末を用いて撮影された画像を、その場で、簡単に印刷して写真を作製することができ、イベントや名所等の情報を発信することができる写真作製システムを提供する。【解決手段】本発明の写真作製システム１は、写真作製装置２で画像を写真用カードＣに印刷して写真を作製する写真作製システム１であって、写真作製装置２が、ネットワーク経由で、携帯端末Ｍで撮影した画像を含む１つ以上の画像を取得する画像取得部と、取得した画像を表示する表示部と、表示された１つ以上の画像から印刷する第１画像を選択する操作が行える操作部と、第１画像を写真用カードＣに印刷する印刷部と、を備え、画像取得部は、携帯端末Ｍから画像の投稿者以外の人が閲覧できる投稿サービスに印刷したい画像を投稿するときに、印刷したい画像に付与された検索キーワードが付与されている１つ以上の画像を検索サービスから取得する。【選択図】図１
2019054419.tif 000002
【特許請求の範囲】
【請求項１】
写真作製装置が、携帯端末で撮影した画像をネットワーク経由で取得し、前記画像を写真用カードに印刷して写真を作製する写真作製システムであって、
前記写真作製装置が、
前記ネットワーク経由で、前記携帯端末で撮影した前記画像を含む１つ以上の画像を取得する画像取得部と、
取得した１つ以上の前記画像を表示する表示部と、
前記表示部に表示された１つ以上の前記画像から印刷するための第１画像を選択する操作が行える操作部と、
前記第１画像を前記写真用カードに印刷する印刷部と、を備え、
前記画像取得部は、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得することを特徴とする写真作製システム。
【請求項２】
前記検索キーワードが、前記写真用カードに前記写真作製装置で印刷を行う事業者によって指定されたものであることを特徴とする請求項１に記載の写真作製システム。
【請求項３】
前記写真用カードが、プラスチックのカードであることを特徴とする請求項１又は請求項２に記載の写真作製システム。
【請求項４】
前記投稿サービスがソーシャルネットワーキングサービスであり、
前記検索キーワードがハッシュタグとして付与されることを特徴とする請求項１から請求項３のいずれか１項に記載の写真作製システム。
【請求項５】
前記写真用カードには、前記写真作製装置の設置場所に関係した印刷があらかじめ行われていることを特徴とする請求項１から請求項４のいずれか１項に記載の写真作製システム。
【請求項６】
前記印刷部が、前記第１画像を前記写真用カードに印刷するときに、前記写真用カードに前記写真作製装置の設置場所に関係した印刷も行うことを特徴とする請求項１から請求項４のいずれか１項に記載の写真作製システム。
【請求項７】
前記操作部は、前記写真作製装置の設置場所に関係した印刷の内容を選択する操作が行え、
前記印刷部は、選択された前記写真作製装置の設置場所に関係した印刷の内容を前記写真作製装置の設置場所に関係した印刷として行うことを特徴とする請求項６に記載の写真作製システム。
【請求項８】
前記写真作製装置の設置場所が、イベントの会場又はその会場の近くの場所であり、
前記写真作製装置の設置場所に関係した印刷が前記イベントに関係した印刷であることを特徴とする請求項５から請求項７のいずれか１項に記載の写真作製システム。
【請求項９】
前記写真作製装置の設置場所に関係した印刷は、前記写真作製装置の設置されている地域に関連した印刷であることを特徴とする請求項５から請求項８のいずれか１項に記載の写真作製システム。
【請求項１０】
請求項１から請求項９のいずれか１項に記載の写真作製システムを用いて、販売用カードとしての前記写真用カードに前記第１画像を印刷して前記写真を作製することを特徴とする販売システム。
【請求項１１】
前記写真用カードが販売用の専用ホルダーに収納されることを特徴とする請求項１０に記載の販売システム。
【請求項１２】
携帯端末で撮影した画像をネットワーク経由で取得し、前記画像を写真用カードに印刷して写真を作製する写真作製装置であって、
前記写真作製装置は、
前記ネットワーク経由で、前記携帯端末で撮影した前記画像を含む１つ以上の画像を取得する画像取得部と、
取得した１つ以上の前記画像を表示する表示部と、
前記表示部に表示された１つ以上の前記画像から印刷するための第１画像を選択する操作が行える操作部と、
前記第１画像を写真用カードに印刷する印刷部と、を備え、
前記画像取得部が、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得することを特徴とする写真作製装置。
【請求項１３】
写真作製装置のプログラムであって、
前記写真作製装置に対して、
ネットワーク経由で、携帯端末で撮影した画像を含む１つ以上の画像を取得させる取得処理と、
取得した１つ以上の前記画像を表示部に表示させる表示処理と、
前記表示部に表示された１つ以上の前記画像から印刷するための第１画像が選択されると前記第１画像を写真用カードに印刷させる印刷処理と、を実行させ、
前記取得処理が、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得する処理であることを特徴とするプログラム。
【発明の詳細な説明】
【技術分野】
【０００１】
本発明は、写真作製システム、販売システム、写真作製装置及びプログラムに関する。
【背景技術】
【０００２】
例えば、写真シール作成ゲームとして、利用者に、利用者を被写体とする撮影作業、および撮影作業により得られた利用者の画像に対して編集情報を入力する編集入力作業を行わせ、さらに、得られた編集済みの利用者の画像を所定のシールシートに印刷し、印刷されたシールシートを排出し、写真シールとして利用者に提供する写真シール作成装置において、利用者を含む画像を取り込み、利用者を撮影する撮影手段と、利用者の操作に応じて、撮影された利用者の画像、または編集済みの利用者の画像のなかから、人気投票の対象となる投票対象画像を選択する第１の選択手段と、利用者により入力される情報であって、選択された投票対象画像に対する情報である投稿用メッセージを受け付ける第１の受付手段と、選択された投票対象画像と、受け付けられた投稿用メッセージとを関連付けて記憶させる第１の記憶制御手段と、記憶されている投票対象画像と、投票対象画像に関連付けて記憶されている投稿用メッセージとを対応させて表示させる表示制御手段と、を備える写真シール作成装置が知られている（特許文献１参照）。
【先行技術文献】
【特許文献】
【０００３】
【特許文献１】特開２００８−５２１２２号公報
【発明の概要】
【発明が解決しようとする課題】
【０００４】
ところで、近年は、ユーザが所有する携帯端末（例えば、携帯電話、スマートフォン、タブレット等）にカメラが標準で設けられており、例えば、コンサート等のイベントに参加しているときに、そのイベントの会場で歌手と運よく出会い、その場で歌手とツーショットの撮影を行える機会等が増えてきている。
【０００５】
しかし、一般に、携帯端末は印刷機能を有していないため、撮影した画像を、その場で印刷した状態にはできない。
このため、会場の別の場所にいた知人等に会場で出会ったときに、その画像を見せるために、携帯端末を操作して、携帯端末の画面に撮影した画像を表示することが行われるが、コンサートに参加した記念にと考えて、沢山の撮影を行っていると、知人に見せようとしている歌手とのツーショット画像がなかなか見つからないというじれったい思いをすることがある。
【０００６】
一方、会場内で撮影した画像を印刷した状態（以下、この印刷した状態を写真と呼ぶ。）にできれば、携帯端末に記録されている沢山の画像の中から、歌手とのツーショット画像を探す必要がなく、出会った知人に、直ぐに、その写真を見せることができる。
また、その写真を身に付けてイベントに参加していれば、より一層、気分が盛り上がることも考えられる。
【０００７】
一方、イベントの主催者等は、リアルタイムでイベント情報を多くの人に発信し、イベントを盛り上げて行きたいと考えており、また、地方（以下、地域ともいう。）の観光名所においても、その観光名所の情報を多くの人に発信することができればと考えている。
【０００８】
本発明は、このような事情に鑑みてなされたものであり、イベントの会場や地域の名所等で携帯端末を用いて撮影された画像を、その場で、簡単に印刷して写真を作製することができ、しかも、イベントや名所等の情報を発信することができる写真作製システム、販売システム、写真作製装置及びプログラムを提供することを目的とする。
【課題を解決するための手段】
【０００９】
本発明は、上記目的を達成するために、以下の構成によって把握される。
（１）本発明の写真作製システムは、写真作製装置が、携帯端末で撮影した画像をネットワーク経由で取得し、前記画像を写真用カードに印刷して写真を作製する写真作製システムであって、前記写真作製装置が、前記ネットワーク経由で、前記携帯端末で撮影した前記画像を含む１つ以上の画像を取得する画像取得部と、取得した１つ以上の前記画像を表示する表示部と、
前記表示部に表示された１つ以上の前記画像から印刷するための第１画像を選択する操作が行える操作部と、前記第１画像を前記写真用カードに印刷する印刷部と、を備え、前記画像取得部は、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得する。
【００１０】
（２）上記（１）の構成において、前記検索キーワードが、前記写真用カードに前記写真作製装置で印刷を行う事業者によって指定されたものである。
【００１１】
（３）上記（１）又は（２）の構成において、前記写真用カードが、プラスチックのカードである。
【００１２】
（４）上記（１）から（３）のいずれか１つの構成において、前記投稿サービスがソーシャルネットワーキングサービスであり、前記検索キーワードがハッシュタグとして付与される。
【００１３】
（５）上記（１）から（４）のいずれか１つの構成において、前記写真用カードには、前記写真作製装置の設置場所に関係した印刷があらかじめ行われている。
【００１４】
（６）上記（１）から（４）のいずれか１つの構成において、前記印刷部が、前記第１画像を前記写真用カードに印刷するときに、前記写真用カードに前記写真作製装置の設置場所に関係した印刷も行う。
【００１５】
（７）上記（６）の構成において、前記操作部は、前記写真作製装置の設置場所に関係した印刷の内容を選択する操作が行え、前記印刷部は、選択された前記写真作製装置の設置場所に関係した印刷の内容を前記写真作製装置の設置場所に関係した印刷として行う。
【００１６】
（８）上記（５）から（７）のいずれか１つの構成において、前記写真作製装置の設置場所が、イベントの会場又はその会場の近くの場所であり、前記写真作製装置の設置場所に関係した印刷が前記イベントに関係した印刷である。
【００１７】
（９）上記（５）から（８）のいずれか１つの構成において、前記写真作製装置の設置場所に関係した印刷は、前記写真作製装置の設置されている地域に関連した印刷である。
【００１８】
（１０）本発明の販売システムは、上記（１）から（９）のいずれか１つの構成を有する写真作製システムを用いて、販売用カードとしての前記写真用カードに前記第１画像を印刷して前記写真を作製する。
【００１９】
（１１）上記（１０）の構成において、前記写真用カードが販売用の専用ホルダーに収納される。
【００２０】
（１２）本発明の写真印刷装置は、携帯端末で撮影した画像をネットワーク経由で取得し、前記画像を写真用カードに印刷して写真を作製する写真作製装置であって、前記写真作製装置は、前記ネットワーク経由で、前記携帯端末で撮影した前記画像を含む１つ以上の画像を取得する画像取得部と、取得した１つ以上の前記画像を表示する表示部と、前記表示部に表示された１つ以上の前記画像から印刷するための第１画像を選択する操作が行える操作部と、前記第１画像を写真用カードに印刷する印刷部と、を備え、前記画像取得部が、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得する。
【００２１】
（１３）本発明のプログラムは、写真作製装置のプログラムであって、前記写真作製装置に対して、ネットワーク経由で、携帯端末で撮影した画像を含む１つ以上の画像を取得させる取得処理と、取得した１つ以上の前記画像を表示部に表示させる表示処理と、前記表示部に表示された１つ以上の前記画像から印刷するための第１画像が選択されると前記第１画像を写真用カードに印刷させる印刷処理と、を実行させ、前記取得処理が、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得させる処理である。
【発明の効果】
【００２２】
本発明によれば、イベントの会場や地域の名所等で携帯端末を用いて撮影された画像を、その場で、簡単に印刷して写真を作製することができ、しかも、イベントや名所等の情報を発信することができる写真作製システム、販売システム、写真作製装置及びプログラムを提供することができる。
【図面の簡単な説明】
【００２３】
【図１】本発明に係る実施形態の写真作製システムを説明するための図である。
【図２】本発明に係る実施形態の写真作製装置を説明するためのブロック図である。
【図３】本発明に係る実施形態の写真作製システムで写真が作製されてお客様に引き渡されるまでの手順の一例を示したフローチャートである。
【図４】本発明に係る実施形態のイベントに関係した印刷及び地域に関連した印刷を行った写真用カードを説明するための図であり、（ａ）は携帯端末で撮影した画像の印刷が行われる写真用カードの表面を示す図であり、（ｂ）は写真用カードの裏面を示す図である。
【発明を実施するための形態】
【００２４】
以下、添付図面を参照して、本発明を実施するための形態（以下、実施形態）について詳細に説明する。
なお、実施形態の説明の全体を通して同じ要素には同じ番号又は符号を付している。
【００２５】
図１は、本発明に係る実施形態の写真作製システム１を説明するための図である。
図１に示すように、写真作製システム１は、写真作製装置２が、カメラ等の撮影機能を有する携帯端末Ｍ（例えば、携帯電話、スマートフォン、タブレット等）で撮影した画像をネットワーク（例えば、インターネット）経由で取得し、その画像を写真用カードＣに印刷して写真を作製するシステムである。
【００２６】
なお、ネットワークには、画像の投稿者以外の人が閲覧できるように画像を投稿（アップロード）することができる投稿サービスに接続されている。
具体的には、図１に示すように、Ｔｗｉｔｔｅｒ（登録商標）、Ｉｎｓｔａｇｒａｍ（登録商標）、ＬＩＮＥ（登録商標）及びＦａｃｅｂｏｏｋ（登録商標）といった画像の投稿者以外の人が閲覧できるように画像を投稿（アップロード）することができるソーシャルネットワーキングサービス（ＳＮＳ）や、同様に画像の投稿者以外の人が閲覧できるように画像を投稿（アップロード）することができるｗｅｂサイト等が接続されている。
【００２７】
このため、写真作製システム１は、ネットワークに接続でき、写真用カードＣに画像を印刷する写真作製装置２を備えており、写真作製装置２は、印刷装置２１と、表示装置２２と、を備えている。
【００２８】
なお、本実施形態では、写真作製装置２が、印刷装置２１と表示装置２２が別体であり、それらを通信ケーブル等で接続する形態の構成として示しているが、印刷装置２１と表示装置２２が別体である必要はなく、写真作製装置２は、印刷装置２１と表示装置２２を一体化した一体型のものであってもよい。
【００２９】
また、印刷装置２１と表示装置２２が別体の場合でも、通信ケーブル等で接続する形態ではなく、近距離無線通信（例えば、Ｂｌｕｅｔｏｏｔｈ（登録商標）やＷｉ-Ｆｉ（登録商標）等）で通信可能に接続するようにしてもよい。
【００３０】
図２は、写真作製装置２を説明するためのブロック図である。
印刷装置２１は、図２に示すように、通信部２３と、印刷部２４と、を備えている。
通信部２３は、表示装置２２の通信部２５との間の通信を行うための通信インターフェースであり、表示装置２２から送信される画像（以下、第１画像ともいう。）のデータ等を受信する。
また、通信部２３は、印刷装置２１のエラーメッセージ（例えば、インク切れ等）を表示装置２２に送信する。
【００３１】
印刷部２４は、通信部２３を通じて受信した画像（第１画像）のデータ等に従って、挿脱口ＩＯ（図１参照）に挿入されている写真用カードＣに印刷を行い、写真用カードＣに画像（第１画像）の印刷が行われた写真の状態とする。
【００３２】
なお、写真用カードＣに良好に印刷が行えれば、印刷部２４の印刷方式は、特に、限定されるものではないが、例えば、イベントの会場等に印刷装置２１を運ぶことを考えると、印刷装置２１自体が小型であることが好ましい。
このため、印刷部２４も小型化が行いやすいことが好ましく、印刷部２４の印刷方式は、小型化が行いやすい印刷方式であるインクジェット方式であることが好ましい。
【００３３】
また、写真用カードＣとしては、比較的剛性が高く、耐久性があるプラスチックのカード等であることが好ましく、この場合、プラスチック製の材料からなるものに印刷するときに滲み等が発生し難いＵＶ硬化インクを用いるのが好ましい。
したがって、印刷部２４の印刷方式は、ＵＶ硬化型のインクジェット方式であるのがよい。
【００３４】
表示装置２２は、図２に示すように、通信部２５と、ＣＰＵ２６と、記憶部２７と、表示部２８と、操作部２９と、を備えている。
通信部２５は、印刷装置２１の通信部２３との通信やネットワークを介したＳＮＳやｗｅｂサイトのサーバーＳとの通信を行うための通信インターフェースである。
【００３５】
そして、通信部２５は、ＣＰＵ２６の制御に従って、印刷装置２１の通信部２３に画像（第１画像）のデータ等を送信する。
また、通信部２５は、ＣＰＵ２６からの指示に従ってネットワーク（図１参照）経由で、投稿サービス（より具体的には、ＳＮＳやｗｅｂサイトのサーバーＳ（図１参照））にアクセスするとともに、そのアクセスした投稿サービスから携帯端末Ｍで撮影した画像のデータ等を取得する画像取得部として機能する。
【００３６】
なお、本実施形態では、表示装置２２が、イベントの会場等に設置されるときに、その設置場所の近くに、ネットワークに接続するためのＬＡＮポートがない場合を考慮して、通信部２５が無線通信でネットワークに接続できるものとしているが、通信部２５はＬＡＮケーブルでＬＡＮポートに接続して通信を行うものであってもよい。
【００３７】
ＣＰＵ２６は、全体的な制御を司る制御部であり、記憶部２７に記憶されている動作プログラムや記憶部２７に展開されたアプリケーションに従った各種の処理を実行する機能部としての役割を果たす。
【００３８】
記憶部２７は、例えば、ＲＯＭやＲＡＭ等で構成されており、ＲＯＭには、ＣＰＵ２６が写真作製装置２を制御する上で必要なデータやプログラム等が記憶されている。
また、ＲＡＭには、ＣＰＵ２６が処理を実行する過程で生成した一時記憶する必要があるデータやネットワーク（図１参照）経由で取得した画像のデータ等が記憶される。
さらに、ＲＡＭは、ＳＮＳ等にアクセスするためにインストールされたアプリケーションの展開領域でもある。
【００３９】
図１に示すように、表示装置２２は、タッチパネル機能を有する表示画面２２Ａを有しており、この表示画面２２Ａは、図２に示す表示部２８及び操作部２９として機能する。
つまり、表示画面２２Ａは、ネットワーク（図１参照）経由で取得した画像のデータに従った画像を表示する表示部２８としての機能を果たすとともに、その画像のデータ等を取得するために必要な入力等を行う操作や表示部２８に表示された画像の中から印刷装置２１で印刷を行うための第１画像を選択する操作等を行う操作部２９としての機能を果たす。
【００４０】
なお、表示装置２２が、タッチパネル機能を有する表示画面２２Ａを有することに限定される必要はなく、タッチパネル機能を省略して、別途、操作部２９として機能するキーボードやマウスといったものを接続するようにしてもよい。
例えば、表示装置２２は、パソコンのような構成、つまり、デスクトップ本体、モニタ、キーボード及びマウスを有する構成としてもよく、ノートパソコンのような構成としてもよい。
【００４１】
上記のような構成を有する写真作製システム１は写真販売の販売システムに用いることができ、以下、写真が作製されてお客様に引き渡されるまでの手順の一例を示したフローチャートである図３等を参照しながら、より詳細な説明を行う。
【００４２】
例えば、以下の説明では、図１に示すように、ＸＸドームでコンサート等のイベントが行われているものとし、写真作製装置２がそのイベントの会場であるＸＸドーム内若しくはＸＸドームの近くに設置されているものとする。
【００４３】
また、以下の説明では、その写真作製装置２の傍に、写真用カードＣに写真作製装置２で印刷を行う事業者の販売員がおり、その写真作製装置２で写真にしたい画像の撮影を携帯端末Ｍで行った携帯端末Ｍの所持者が、販売員に写真の販売を申し込もうとしている状況であるものとする。
【００４４】
携帯端末Ｍで撮影を行った携帯端末Ｍの所持者（以下、お客様ともいう。）が販売員に写真を購入したいことを伝えると、図３に示すフローチャートに従った手順が行われることになる。
なお、携帯端末Ｍの所持者とは、携帯端末Ｍを所有する通信事業者への契約者（携帯端末Ｍの所有者）のみ意味するものではなく、販売員に写真の購入を申し込む時点で、携帯端末Ｍから画像を先に説明したような投稿サービスに投稿しても所有者にその投稿を認めてもらえる関係にある者（例えば、家族や友人等）を含む。
【００４５】
（ステップＳ１）
まず、はじめに販売員は、販売用カードとしての写真用カードＣの購入代金をお客様から受領すると、販売員は、お客様に、お客様が使用できる、画像の投稿者以外の人（お客様以外の人）が閲覧できる画像の投稿が可能な投稿サービスを伺う。
そして、お客様に、販売員が、その投稿サービスに携帯端末Ｍから写真用カードＣに印刷したい画像を投稿するときに、画像に付与してもらいたい検索キーワードを伝える。
【００４６】
例えば、投稿サービスがＴｗｉｔｔｅｒ（登録商標）等のハッシュタグで画像の検索が可能な投稿サービスである場合、販売員は、検索キーワードとして付与してもらいたいハッシュタグ（例えば、「＃ＸＸドームコンサート」等）をお客様に伝える。
【００４７】
なお、以下の説明では、具体的な投稿サービスがＴｗｉｔｔｅｒ（登録商標）である場合を念頭において、検索キーワード（例えば、「＃ＸＸドームコンサート」等）と記載するが、この検索キーワードは、ハッシュタグに限定されるものではなく、投稿サービスの種類に応じて、画像の検索が行えるものが選ばれる。
例えば、投稿された画像のファイル名で検索を行うような投稿サービスである場合には、検索キーワードをファイル名に付与するようにすればよい。
【００４８】
（ステップＳ２）
そして、お客様が、携帯端末Ｍから画像の投稿者以外の人が閲覧できる投稿サービスに印刷したい画像に検索キーワード（例えば、「＃ＸＸドームコンサート」等）を付与して、印刷したい画像を投稿サービスに投稿する。
【００４９】
なお、例えば、投稿サービスがＴｗｉｔｔｅｒ（登録商標）である場合に、お客様によっては、普段、Ｔｗｉｔｔｅｒ（登録商標）を利用していても、画像を投稿する機会が少なく、操作に不慣れなこともある。
そのような場合であっても、販売員が傍にいるので、携帯端末Ｍの操作を販売員がお客様の代わりに行い、画像を投稿することができる。
【００５０】
（ステップＳ３）
次に、写真作製装置２に、ネットワーク経由で、先に携帯端末Ｍから投稿サービスに投稿した印刷したい画像を含む１つ以上の画像を投稿サービスから取得させる。
【００５１】
具体的には、販売員が、写真作製装置２の操作部２９を操作（本実施形態では、表示画面２２Ａに表示されている操作メニューのタッチ操作）して、投稿サービスの指定と投稿サービスに印刷したい画像を投稿したときに、その画像に付与した検索キーワード（例えば、「＃ＸＸドームコンサート」等）を入力して画像を取得する処理を写真作製装置２に実行させる。
【００５２】
なお、あらかじめ、写真作製装置２に検索キーワード（例えば、「＃ＸＸドームコンサート」等）の登録を行っておいて、検索キーワード（例えば、「＃ＸＸドームコンサート」等）の入力を省略するようにしてもよい。
【００５３】
そうすると、ＣＰＵ２６からの指示に従って通信部２５が画像取得部として機能し、ネットワーク経由で、指定された投稿サービス（より具体的には、指定された投稿サービスのサーバーＳ（図１参照））にアクセスするとともに、携帯端末Ｍから投稿サービスに印刷したい画像を投稿するときに、印刷したい画像に付与された検索キーワード（例えば、「＃ＸＸドームコンサート」等）が付与されている１つ以上の画像を指定された投稿サービス（より具体的には指定された投稿サービスのサーバーＳ（図１参照））から取得する。
【００５４】
なお、本実施形態では、写真作製装置２に、投稿サービスの指定と検索キーワード（例えば、「＃ＸＸドームコンサート」等）の入力を行うだけで、その投稿サービスに対応したアプリケーションの動作を制御し、そのアプリケーションに設けられている検索アイコンの機能を利用して検索を行い、検索キーワード（例えば、「＃ＸＸドームコンサート」等）の付与された画像を投稿サービスから自動的に取得するためのプログラムを組み込んでいる。
【００５５】
したがって、本実施形態では、ＣＰＵ２６が、そのアプリケーションを所定の手順で動作させるプログラムに従って、アプリケーションを動作させるとともに、その動作に応じて通信部２５が行うべき内容の指示を、ＣＰＵ２６が通信部２５に送り、その指示に従って通信部２５が画像取得部として機能するものになっている。
【００５６】
ただし、写真作製装置２は、上記のようなプログラムを組み込んだものに限定されるものではない。
例えば、投稿サービスがＴｗｉｔｔｅｒ（登録商標）である場合、販売員が、操作部２９を操作して、Ｔｗｉｔｔｅｒ（登録商標）のアプリケーションを立ち上げて、操作部２９を操作して、そのアプリケーションの検索アイコンを選択して検索キーワード（例えば、「＃ＸＸドームコンサート」等）を入力し、Ｔｗｉｔｔｅｒ（登録商標）のサーバーＳ（図１参照）から（例えば、「＃ＸＸドームコンサート」等）が付与されている１つ以上の画像を取得するようにしてもよい。
【００５７】
この場合でも、ＣＰＵ２６からは、販売員のアプリケーションの操作に応じて、通信部２５が行うべき内容の指示が通信部２５に送られるので、その指示に従って通信部２５は画像取得部として機能を果たす。
【００５８】
（ステップＳ４）
そして、指定された投稿サービス（より具体的には指定された投稿サービスのサーバーＳ（図１参照））から取得した印刷したい画像を含む１つ以上の画像を取得すると、それらの画像が表示部２８としての表示画面２２Ａに表示される。
【００５９】
（ステップＳ５）
この取得した画像には、先に説明した検索キーワード（例えば、「＃ＸＸドームコンサート」等）が含まれる画像が全て含まれているため、表示部２８に表示された画像には、印刷したい画像以外の画像が含まれている可能性がある。
【００６０】
そこで、表示部２８に表示されている画像の中から、検索キーワード（例えば、「＃ＸＸドームコンサート」等）を付与して投稿サービスに携帯端末Ｍから投稿した画像を探して、操作部２９としての表示画面２２Ａを操作し、その探し出した画像を印刷するための第１画像に設定する。
具体的には、その探し出した画像のところをタッチすれば、その画像が印刷するための第１画像に選択される。
【００６１】
なお、このタッチ作業は、販売員が行うようにすることで、第１画像に印刷したい画像として投稿サービスに投稿した画像と異なる他人の画像が選択されることを未然に防ぐことができる。
【００６２】
また、お客様にタッチ作業を行ってもらう場合には、販売員が第１画像に印刷したい画像として投稿サービスに投稿した画像が選択されていることをチェックするようにして、他人の画像が選択されることを未然に防ぐようにするのがよい。
【００６３】
（ステップＳ６）
そして、第１画像を選択すると、表示部２８としての表示画面２２Ａに印刷の実行を確認するアイコン、例えば、「印刷を実行しますか？」の表示とともに「はい」、「いいえ」のアイコンが表示されるので「はい」のアイコンをタッチすると、表示装置２２の通信部２５から印刷装置２１の通信部２３に向けて、印刷するための第１画像のデータが送信される。
【００６４】
なお、「いいえ」のアイコンをタッチすると、選択された第１画像がキャンセルされ、もう一度、第１画像の選択をやり直すことができる。
したがって、例えば、第１画像を選択するためのタッチ操作のときに、間違って、隣の画像をタッチしてしまったときには、「いいえ」のアイコンをタッチして第１画像の選択を、再度、行うようにする。
【００６５】
そして、印刷装置２１の印刷部２４が、通信部２３で受信した印刷するための第１画像のデータに従って、挿脱口ＩＯ（図１参照）に挿入されている写真用カードＣに印刷を行い、写真の作製が完了する。
【００６６】
（ステップＳ７）
最後に、販売員が挿脱口ＩＯ（図１参照）から印刷が終わり、写真の状態になった写真用カードＣを取り出して、お客様に写真の引渡しを行う。
【００６７】
なお、販売員は、写真用カードＣを収納できる販売用の専用ホルダーの購入代金をお客様から受領すると、その専用ホルダーをお客様に渡し、その販売用の専用ホルダーに写真用カードＣは収納される。
例えば、写真用カードＣを収納する専用ホルダーは、写真用カードを収納する部分（収納部ともいう。）と、その収納部に設けられ、バック等への取り付けが行える取付部と、を有している。
取付部は、例えば、一般的なキーホルダに設けられているバック等の物品に取り付けを行うための構造と同様の構造になっている。
そして、専用ホルダーの収納部は、写真用カードＣのお客様が印刷したい画像が印刷された面が外から見えるように透明になっている。
【００６８】
なお、専用ホルダーは、取付部がキーホルダのような取り付け構造ではなく、首から提げるための紐のようなものとされていてもよい。
【００６９】
以上のように、本実施形態の写真作製システム１は、イベントの会場等で携帯端末Ｍを用いて撮影された画像を、簡単に印刷して写真を作製できるだけでなく、携帯端末Ｍで撮影した画像を、一度、投稿サイトに投稿して、投稿サイトから画像を写真作製装置２に取り込んで写真の作製を行うものとなっているので、リアルタイムなイベント情報の発信が自然と行われる。
【００７０】
なお、情報発信力を高めるには、例えば、検索キーワードとして使用するハッシュタグに、誰かがイベントに関する検索を行うときに、ヒットしやすいものとするのが好ましいが、そうすると、目的の画像以外の画像が多くヒットしてしまう可能性もある。
【００７１】
そこで、例えば、検索キーワードを複数のハッシュタグからなるものとして、その中の１つのハッシュタグを、画像を抽出するときの絞り込みができるようなイベントに関する検索でヒットし難いものとし、その中の１つをイベントに関する検索でヒットしやすいものとし、その両方のハッシュタグを含むもので画像の絞り込みを行って、写真作製装置２に画像を取り込むようにしてもよい。
【００７２】
したがって、検索キーワードは、投稿サービスにアクセスして画像の投稿者以外の人が検索するときに、その検索でヒットしやすいキーワード部分とヒットし難いキーワード部分の組合せになっていてもよい。
【００７３】
なお、この場合に、イベントに関する検索でヒットし難いハッシュタグであったとしても、写真の作製を希望するお客様全員で共通に使用していると、お客様の人数が多くなるにつれて、写真作製装置２に取り込まれる画像の数が多くなるおそれもあるため、このハッシュタグに関しては、お客様ごとで異なるものとしてもよく、複数のお客様単位で異なるものとしてもよい。
【００７４】
また、投稿サービスが、ｗｅｂサイト等であって、検索キーワードが画像のファイル名として付与される場合でも、投稿サービスにアクセスして画像の投稿者以外の人が検索するときに、その検索でヒットしやすいキーワード部分とヒットし難いキーワード部分の組合せにしておけば、検索を完全一致で行うようにすることで、写真作製装置２に取り込む画像を絞り込むことができる。
【００７５】
一方、本実施形態の写真作製システム１では、投稿サービスに投稿された画像をイベントの主催者がイベント情報を発信するために用いることも可能であり、写真作製システム１は、単なる写真の作製だけでなく、いろいろな面で利用価値が高いものになっている。
【００７６】
ところで、例えば、イベントの会場で運よく歌手と出会い、ツーショット画像の撮影ができたとしても、その画像の背景等に、イベントに参加していることがわかるようなものが写っておらず、どこで撮影されたものなのかがわからないような画像になっていることがあると考えられる。
【００７７】
そして、そのような画像を基に、先に説明したようにして、単に、写真用カードＣに画像を印刷して写真としただけでは、イベントに参加した記念品としては、少し寂しい感じを受ける場合がある。
【００７８】
そこで、本実施形態のように、写真作製装置２の設置場所が、イベントの会場又はその会場の近くの場所である場合、写真用カードＣに写真作製装置２の設置場所に関係した印刷としてイベントに関係した印刷を行っておくと、作製した写真がより一層よい記念品になる。
【００７９】
また、写真作製装置２の設置場所に関係した印刷として、写真作製装置２の設置されている地域に関連した印刷、例えば、具体的な場所やご当地キャラクタ等も併せて写真用カードＣに印刷されていると、そのイベントに参加するために、その地域に旅行したこと等も記録されたものとなり、更に、よい記念品になると考えられる。
【００８０】
図４は、イベントに関係した印刷及び地域に関連した印刷を行った写真用カードＣを説明するための図であり、図４（ａ）は携帯端末Ｍで撮影した画像の印刷が行われる写真用カードＣの表面を示す図であり、図４（ｂ）は写真用カードＣの裏面を示す図である。
【００８１】
図４（ａ）に示すように、写真用カードＣの表面の携帯端末Ｍで撮影した画像を印刷する画像印刷領域の下側には、イベントに関係した印刷として、コンサートの開催日とともに、どういったコンサートであったのかが印刷されている。
【００８２】
このため、画像印刷領域に印刷する画像自体に、イベントに参加していることがわかるようなものが写っていなくても、一目でどんなイベントに参加していたのかがわかるようになっている。
【００８３】
なお、イベントに関係した印刷は、図４（ａ）に示すような文字での標記に限らず、イベントに参加していたことがわかれば、文字以外の表現形式であってもよい。
例えば、イベントがコンサートであれば、歌手等のアーティストの画像やそのアーティストをキャラクタ化したような画像がイベントに関係した印刷として行われてもよい。
【００８４】
また、図４（ｂ）に示すように、写真用カードＣの裏面には、地域に関連した印刷として、ＸＸドームが印刷されており、そのイベントに参加するために、どの地域に旅行したのかも、一目でわかるようになっている。
【００８５】
なお、図４に示すように、写真用カードＣの表面及び裏面の両方に印刷がある場合には、先に説明した写真用カードＣを収納する専用ホルダーの写真用カードＣが収納される収納部の写真用カードＣの表面及び裏面に対応する部分が透明になっていることが好ましい。
【００８６】
このようなイベントに関係した印刷及び地域に関連した印刷は、あらかじめ、写真用カードＣに行っておいて、お客様からの写真を購入したいという申し込みがあったときに、画像印刷領域に、お客様が印刷したい画像だけを印刷するようにしてもよく、お客様が印刷したい画像を印刷するとき、つまり、先に説明した第１画像を写真用カードＣに印刷するときに、行うようにしてもよい。
【００８７】
あらかじめ、印刷しておけば、写真作製装置２で写真の作製を行うときの手間が減るため、写真が出来上がるまでの時間を短縮することができる。
【００８８】
一方、お客様が印刷したい画像を印刷するときに行うようにすれば、仮に、準備した写真用カードＣに売れ残りが発生しても、その写真用カードＣには、イベントに関係した印刷及び地域に関連した印刷が行われていないため、別のイベントのときに使用することができる。
【００８９】
なお、イベントに関係した印刷及び地域に関連した印刷が、１種類である必要はなく、例えば、あらかじめ、印刷を行っておく場合には、いろいろな種類の印刷済みの写真用カードＣを準備しておいて、お客様に選んでいただくようにしてもよいことは言うまでもない。
【００９０】
また、イベントに関係した印刷及び地域に関連した印刷を、お客様が印刷したい画像を写真用カードＣに印刷するときに併せて行う場合でも、写真作製装置２に、イベントに関係した印刷のための印刷データ、及び、地域に関連した印刷のための印刷データを複数種類設けておき、操作部２９としての表示画面２２Ａを操作して選択できるようにしておけばよい。
【００９１】
さらに、写真作製装置２は、先に説明したようにネットワークに接続されるため、イベントに関係した印刷のための印刷データや地域に関連した印刷のための印刷データをネットワーク経由で取得するようにしてもよい。
【００９２】
一方、写真用カードＣに、必ずしも、イベントに関係した印刷及び地域に関連した印刷の両方を実施する必要はなく、また、写真用カードＣの表面及び裏面の両面に印刷が行われている必要もない。
【００９３】
以上、実施形態を用いて本発明を説明したが、本発明の技術的範囲は上記実施形態に限定されないことは言うまでもない。
【００９４】
例えば、上記実施形態では、主にイベントの会場又はその会場の近くに写真作製装置２を設置して、写真作製システム１を運用する場合について説明したが、先にも少し触れたように、地域の名所等（例えば、観光名所等）に写真作製装置２を設置して、観光客向けに写真作製システム１を運用するようにしてもよい。
【００９５】
また、アミューズメント施設等の商業施設に写真作製装置２を設置して、例えば、外国人観光客向けに写真作製システム１を運用するようにしてもよい。
【００９６】
さらに、上記実施形態では、印刷装置２１の挿脱口ＩＯに１枚の写真用カードＣを差し込んで印刷を行う場合について示したが、印刷装置２１に多数の写真用カードＣが収容できるようにしておき、印刷が終わったら、排出口から写真の状態になった写真用カードＣが排出されるような構成になっていてもよい。
【００９７】
このように、本発明は、上記具体的な実施形態に限定されるものではなく、多様な変更又は改良を加えることが可能であり、そのことは当業者にとって、特許請求の範囲の記載から明らかである。
【符号の説明】
【００９８】
１  写真作製システム
２  写真作製装置
２１  印刷装置
２２  表示装置
２２Ａ  表示画面
２３  通信部
２４  印刷部
２５  通信部
２６  ＣＰＵ
２７  記憶部
２８  表示部
２９  操作部
Ｃ  写真用カード
ＩＯ  挿脱口
Ｍ  携帯端末
Ｓ  サーバー
【図１】
2019054419.tif 000003
【図２】
2019054419.tif 000004
【図３】
2019054419.tif 000005
【図４】
2019054419.tif 000006
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
写真作製装置が、携帯端末で撮影した画像をネットワーク経由で取得し、前記画像を写真用カードに印刷して写真を作製する写真作製システムであって、
前記写真作製装置が、
前記ネットワーク経由で、前記携帯端末で撮影した前記画像を含む１つ以上の画像を取得する画像取得部と、
取得した１つ以上の前記画像を表示する表示部と、
前記表示部に表示された１つ以上の前記画像から印刷するための第１画像を選択する操作が行える操作部と、
前記第１画像を前記写真用カードに印刷する印刷部と、を備え、
前記画像取得部は、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得することを特徴
とする写真作製システム。
【請求項２】
前記検索キーワードが、前記写真用カードに前記写真作製装置で印刷を行う事業者によって指定されたものであることを特徴とする請求項１に記載の写真作製システム。
【請求項３】
前記写真用カードが、プラスチックのカードであることを特徴とする請求項１又は請求項２に記載の写真作製システム。
【請求項４】
前記投稿サービスがソーシャルネットワーキングサービスであり、
前記検索キーワードがハッシュタグとして付与されることを特徴とする請求項１から請求項３のいずれか１項に記載の写真作製システム。
【請求項５】
前記写真用カードには、前記写真作製装置の設置場所に関係した印刷があらかじめ行われていることを特徴とする請求項１から請求項４のいずれか１項に記載の写真作製システム。
【請求項６】
前記印刷部が、前記第１画像を前記写真用カードに印刷するときに、前記写真用カードに前記写真作製装置の設置場所に関係した印刷も行うことを特徴とする請求項１から請求項４のいずれか１項に記載の写真作製システム。
【請求項７】
前記操作部は、前記写真作製装置の設置場所に関係した印刷の内容を選択する操作が行え、
前記印刷部は、選択された前記写真作製装置の設置場所に関係した印刷の内容を前記写真作製装置の設置場所に関係した印刷として行うことを特徴とする請求項６に記載の写真作製システム。
【請求項８】
前記写真作製装置の設置場所が、イベントの会場又はその会場の近くの場所であり、
前記写真作製装置の設置場所に関係した印刷が前記イベントに関係した印刷であることを特徴とする請求項５から請求項７のいずれか１項に記載の写真作製システム。
【請求項９】
前記写真作製装置の設置場所に関係した印刷は、前記写真作製装置の設置されている地域に関連した印刷であることを特徴とする請求項５から請求項８のいずれか１項に記載の写真作製システム。
【請求項１０】
携帯端末で撮影した画像をネットワーク経由で取得し、前記画像を写真用カードに印刷して写真を作製する写真作製装置であって、
前記写真作製装置は、
前記ネットワーク経由で、前記携帯端末で撮影した前記画像を含む１つ以上の画像を取得する画像取得部と、
取得した１つ以上の前記画像を表示する表示部と、
前記表示部に表示された１つ以上の前記画像から印刷するための第１画像を選択する操作が行える操作部と、
前記第１画像を写真用カードに印刷する印刷部と、を備え、
前記画像取得部が、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得することを特徴とする写真作製装置。
【請求項１１】
写真作製装置のプログラムであって、
前記写真作製装置に対して、
ネットワーク経由で、携帯端末で撮影した画像を含む１つ以上の画像を取得させる取得処理と、
取得した１つ以上の前記画像を表示部に表示させる表示処理と、
前記表示部に表示された１つ以上の前記画像から印刷するための第１画像が選択されると前記第１画像を写真用カードに印刷させる印刷処理と、を実行させ、
前記取得処理が、前記携帯端末から前記画像の投稿者以外の人が閲覧できる投稿サービスに印刷したい前記画像を投稿するときに、印刷したい前記画像に付与された検索キーワードが付与されている１つ以上の前記画像を前記投稿サービスから取得する処理であることを特徴とするプログラム。